【事件の表示】
　特許第５７８７８３６号発明「ウェブ折り畳み装置、印刷機、折帖の製作方法」の特許異議申立事件について、次のとおり決定する。
【結　論】
　特許第５７８７８３６号の特許請求の範囲を訂正請求書に添付された訂正特許請求の範囲のとおり、訂正後の請求項〔１ないし１２〕、１３について訂正することを認める。
　特許第５７８７８３６号の請求項１ないし１４に係る特許を維持する。
【理　由】
第１　手続の経緯
　特許第５７８７８３６号の請求項１ないし１４に係る特許についての出願は、平成２４年７月１８日に特許出願され、平成２７年８月７日にその特許権の設定登録がされ、その後、その特許について、特許異議申立人笹倉康助により特許異議の申立てがされ、平成２８年５月２５日付けで取消理由が通知され、同年７月２９日付けで意見書の提出及び訂正の請求があり、同年９月２日付けで同年７月２９日付けの訂正請求書を補正する手続補正書が提出され、その訂正の請求に対して特許異議申立人笹倉康助から同年１０月２８日付けで意見書が提出されたものである。
第２　訂正の適否
１　訂正の内容
　平成２８年７月２９日付けで提出され、同年９月２日付けの手続補正書により補正された訂正請求書による訂正（以下「本件訂正」という。）は、特許請求の範囲を、訂正請求書に添付した訂正特許請求の範囲のとおり、訂正後の請求項１ないし１３について訂正するものであり、その内容は以下のとおりである。（下線は訂正の内容を明らかにするために当審にて付した。）
（１）訂正事項１
　特許請求の範囲の請求項１及び請求項１３を以下のとおりに訂正し、その結果として請求項１を直接的あるいは間接的に引用する請求項２ないし１２も訂正する。
ア　訂正事項１−１
　「前記折胴と反対方向に回転可能となるように前記折胴の外周部に設けられて前記折胴の外周面から突出することで前記鋸胴により裁断された前記ウェブを前記折胴の周面から引き剥がす折ブレード」
とあるのを
　「
折軸により
に訂正する。
イ　訂正事項１−２
　「前記折ブレードにおける前記ウェブの一側部側で且つ前記折ブレードの回転方向の前方側の平面部から突出するように第１突出量が設定されて前記折胴の周面から引き剥がされた前記ウェブを前記折込ローラ側に押圧する第１前方押圧部」
とあるのを
　「前記折ブレードにおける前記ウェブの一側部側で且つ前記折ブレードの回転方向の前方側の平面部から突出するように第１突出量が設定されて前記折胴の周面から引き剥がされた前記ウェブ
の袋状の前記一側部
に訂正する。
ウ　訂正事項１−３
　「前記折ブレードにおける前記ウェブの他端部側で且つ前記折ブレードの回転方向の前方側の平面部から突出するように前記第１突出量より小さい第２突出量が設定されて前記折胴の周面から引き剥がされた前記ウェブを前記折込ローラ側に押圧する第２前方押圧部」
とあるのを
  「前記折ブレードにおける
前記第１前方押圧部以外の位置
に訂正する。
エ　訂正事項１−４
　「を備えること」
とあるのを
　「を備え
、
　前記第１前方押圧部と前記第２前方押圧部は、前記ウェブを前記折込ローラ側に押圧する第１押圧面と第２押圧面が対応して形成され、前記第１突出量と前記第２突出量は、それぞれ前記第１押圧面と第２押圧面における前記折軸の径方向における同位置での突出量である、
こと」
に訂正する。
（２）訂正事項２
　特許請求の範囲の請求項３に
　「前記折ブレードは、回転方向の後方側に前記折胴の周面から引き剥がされた前記ウェブを前記折込ローラ側に押圧する後方押圧部が設けられ、前記第１前方押圧部における前記折ブレードの平面部からの突出量が、前記後方押圧部における前記折ブレードの平面部からの突出量より大きく設定されることを特徴とする請求項１または２に記載のウェブ折り畳み装置。」
とあるのを
　「前記折ブレードは、回転方向の後方側に前記折胴の周面から引き剥がされた前記ウェブを前記折込ローラ側に押圧する後方押圧部が設けられ、前記第１前方押圧部における前記折ブレードの平面部からの
前記第１
後方
、
　
前記後方押圧部は、前記ウェブを前記折込ローラ側に押圧する後方押圧面が形成され、前記第１突出量と前記後方突出量は、それぞれ前記第１押圧面と前記後方押圧面における前記折軸の径方向における同位置である突出量であ
と訂正し、その結果として請求項３を直接的あるいは間接的に引用する請求項４ないし１２も訂正する。
（３）訂正事項３
　特許請求の範囲の請求項９に
  「前記第１前方押圧部は、前記折ブレードの取付部側が外側に突出する円弧形状をなし、先端部側が内側に凹む円弧形状をなすことを特徴とする請求項８に記載のウェブ折り畳み装置。」
とあるのを
　「前記第１前方押圧部は、前記折ブレードの取付部側が外側に突出する円弧形状をなし、先端部側が内側に凹む円弧形状をなすことを特徴とする請求項
１から７のいずれか一つ
に訂正することにより、請求項８の「前記第１前方押圧部は、外側に突出する円弧形状をなすことを特徴とする請求項１から７のいずれか一つに記載のウェブ折り畳み装置。」の発明特定事項を引用しないものとし、その結果として請求項９を直接的あるいは間接的に引用する請求項１１、１２も訂正する。
（４）訂正事項４
　特許請求の範囲の請求項１０に
  「前記第３切欠部は、前記折込ローラにおける軸方向の端部に底付の円筒形状をなすカラーが装着されて構成されることを特徴とする請求項４に記載のウェブ折り畳み装置。」
とあるのを
　「
前記折込ローラは、
が
カラーを有し、前記カラーの外周部に第３切欠部が設けられる
に訂正し、その結果として請求項１０を直接的あるいは間接的に引用する請求項１１、１２も訂正する。
２　本件訂正の適否についての判断
（１）訂正の目的の適否
ア　訂正事項１
　訂正事項１−１は、折ブレードを、「折軸により」回転可能となるものに限定するものであるから、特許請求の範囲の減縮を目的とするものである。
　訂正事項１−２は、第１前方押圧部を、ウェブの「袋状の一側部」を折込ローラ側に押圧するものに限定するものであるから、特許請求の範囲の減縮を目的とするものである。
　訂正事項１−３は、「ウェブの他端部側」という記載により特定される「第２前方押圧部」の位置が明確でないために、「ウェブの他端部側」を「第１前方押圧部以外の位置」と訂正することにより、その記載を明確にしたものであるから、明瞭でない記載の釈明を目的とするものである。
　訂正事項１−４は、第１前方押圧部と第２前方押圧部を、「ウェブを折込ローラ側に押圧する第１押圧面と第２押圧面が対応して形成され」ているものに限定するものである。また、「第１突出量と第２突出量」を、「それぞれ第１押圧面と第２押圧面における折軸の径方向における同位置での突出量である」に限定するものであるから、特許請求の範囲の減縮を目的とするものである。
　以上より、訂正事項１は、特許請求の範囲の減縮及び明瞭でない記載の釈明を目的とするものである。
イ　訂正事項２
　訂正事項２は、後方押圧部を、「ウェブを折込ローラ側に押圧する後方押圧面が形成され」ているものに限定し、また、第１前方押圧部における突出量を「第１突出量」とし、後方押圧部における突出量を「後方突出量」と限定した上で、「第１突出量と後方突出量」を、「ぞれぞれ第１押圧面と後方押圧面における折軸の径方向における同位置である突出量である」に限定するものであるから、特許請求の範囲の減縮を目的とするものである。
ウ　訂正事項３
　訂正事項３は、請求項８を引用することによって、「第１前方押圧部」が、「外側に突出する円弧形状をなす」ものであるのか、あるいは「折ブレードの取付部側が外側に突出する円弧形状をなし、先端部側が内側に凹む円弧形状をなす」ものであるのか、いずれの形状であるのか明確でなかったために、請求項９において請求項８の引用を解消して、「第１前方押圧部」が、「折ブレードの取付部側が外側に突出する円弧形状をなし、先端部側が内側に凹む円弧形状をなす」ものであることを明確にしたものであるから、明瞭でない記載の釈明を目的とするものである。
エ　訂正事項４
　訂正事項４は、「前記第３切欠部は、前記折込ローラにおける軸方向の端部に底付の円筒形状をなすカラーが装着されて構成されること」という記載の意味が明確に理解できないところ、「
前記折込ローラは、
が
カラーを有し、前記カラーの外周部に第３切欠部が設けられる
　以上のとおり、本件訂正は、特許請求の範囲の減縮及び明瞭でない記載の釈明を目的とするものである。
（２）新規事項の有無
ア　訂正事項１
（ア）訂正事項１−１
　本件特許の明細書の段落【００５９】には、「折ブレード３６は、折軸３７により折胴２３と同期して逆方向に回転可能であり、」との記載があるから、訂正事項１−１に係る訂正は、願書に添付した明細書、特許請求の範囲又は図面（以下「本件特許明細書等」という。）に記載した事項の範囲内においてしたものである。
（イ）訂正事項１−２
　本件特許の明細書の段落【００６６】には「印刷済のウェブＷを縦折りすることで移送方向における
一側部が袋状をなして
ウェブＷを形成する
第１前方押圧部６１が袋状の一側部を折込ローラ３９ａ側に押圧する
　したがって、訂正事項１−２に係る訂正は、本件特許明細書等に記載した事項の範囲内においてしたものである。
（ウ）訂正事項１−３
　本件特許の明細書の段落【００１１】、及び【００３５】には「このとき、折胴及び折ブレードの回転に伴って、
折ブレードの第１前方押圧部がウェブの袋側の内面を押圧しながら支持し、第２前方押圧部がウェブの袋側以外の内面を押圧しながら支持する
　また、段落【００６９】には、「
第１前方押圧部６１は、折ブレード３６における幅方向（折軸３７の軸心方向）の一方側、つまり、ウェブＷの袋側の一側部側の１つの本体部５２
に設けられている。第２前方押圧部６２は、折ブレード３６における幅方向（折軸３７の軸心方向）の一方側、つまり、ウェブＷの袋側の一側部側の１つの本体部５２以外の複数の本体部５２
に設けられている。
　さらに、段落【００８４】には、「
折ブレード３６は、ウェブＷの袋側に対応する回転方向の前方側に
第１前方押圧部６１と、ウェブＷの袋側に対応しない回転方向の前方側に
第２前方押圧部６２を有し
折ブレード３６のウェブＷの袋側に対応する回転方向の前方側に
第１前方押圧部６１と、ウェブＷの袋側に対応しない回転方向の前方側に
第２前方押圧部６２を設け
　したがって、訂正事項１−３に係る訂正は、本件特許明細書等に記載した事項の範囲内においてしたものである。
（エ）訂正事項１−４
　訂正事項１−４については、（ａ）「前記第１前方押圧部と前記第２前方押圧部は、前記ウェブを前記折込ローラ側に押圧する第１押圧面と第２押圧面が対応して形成され」という事項と、（ｂ）「前記第１突出量と前記第２突出量は、それぞれ前記第１押圧面と第２押圧面における前記折軸の径方向における同位置での突出量である」という事項とを分けて検討する。
（ａ）　「前記第１前方押圧部と前記第２前方押圧部は、前記ウェブを前記折込ローラ側に押圧する第１押圧面と第２押圧面が対応して形成され」という事項を付加する訂正については、段落【００７１】に、「
各押圧部６１，６２，６３は、
ウェブＷを折込ローラ３９ａ，３９ｂ側に押圧する押圧面６１ｂ，６２ｂ，６３ｂが形成されている。
（ｂ）　訂正事項１−４の「前記第１突出量と前記第２突出量は、それぞれ前記第１押圧面と第２押圧面における前記折軸の径方向における同位置での突出量である」点について検討する。
　明細書の段落【００６９】には、「
第１前方押圧部６１は、折ブレード３６における
折軸３７の軸心方向
の
ウェブＷの袋側
設けられている
第２前方押圧部６２は、折ブレード３６における
折軸３７の軸心方向
の
ウェブＷの袋側
以外
に設けられている。
この第１前方押圧部６１の押圧面６１ｂにおける折ブレード３６の平面部５２ａからの突出量Ｔ１が、各第２前方押圧部６２の押圧面６２ｂにおける折ブレード３６の平面部５２ａからの突出量Ｔ２より大きく設定されている。
　上記段落【００６９】及び【００７２】の記載を総合すると、本件特許明細書等には、
　「第１前方押圧部６１は、折ブレード３６における折軸３７の軸心方向のウェブＷの袋側に設けられ、第２前方押圧部６２は、折ブレード３６における折軸３７の軸心方向のウェブＷの袋側以外に設けられており、
　第１前方押圧部６１の押圧面６１ｂにおける折ブレード３６の平面部５２ａからの突出量Ｔ１が、各第２前方押圧部６２の押圧面６２ｂにおける折ブレード３６の平面部５２ａからの突出量Ｔ２より大きく設定されている。」
との事項が示されているといえる。
　そして、第１前方押圧部６１及び第２前方押圧部６２は、折軸の軸心方向に並んで設けられていることを踏まえれば、第１前方押圧部６１の押圧面（第１押圧面）及び第２前方押圧部の押圧面（第２押圧面）も、折軸の軸心方向に並んで形成され、それぞれの押圧面における突出量Ｔ１（第１突出量）及び突出量Ｔ２（第２突出量）に対応する折ブレードの平面部についても、折軸の軸心方向に並んで形成されものであるといえる。そして、折軸の軸心方向に並んで形成されることは、すなわち折軸の径方向における同位置にあることに相当する。
　以上より、「前記第１突出量と前記第２突出量は、それぞれ前記第１押圧面と第２押圧面における前記折軸の径方向における同位置での突出量である」ことを付加する訂正は、本件特許明細書等に記載した事項の範囲内においてしたものであるといえる。
　したがって、（ａ）及び（ｂ）のとおり、訂正事項１−４に係る訂正は、本件特許明細書等に記載した事項の範囲内においてしたものである。
（オ）訂正事項２
　段落【００７２】には、「
第１前方押圧部６１の押圧面６１ｂにおける折ブレード３６の平面部５２ａからの突出量Ｔ１が、各後方押圧部６３の押圧面６３ｂにおける折ブレード３６の平面部５２ｂからの突出量Ｔ３より大きく設定されている。
ウェブＷを折込ローラ３９ｂ側に押圧する後方押圧部６３を設けている。
　したがって、明細書には、「第１前方押圧部における前記折ブレードの平面部からの第１突出量が、後方押圧部における折ブレードの平面部からの後方突出量より大きく設定され、
　前記後方押圧部は、ウェブを折込ローラ側に押圧する後方押圧面が形成され」る点が記載されている。
　また、【図３】には、「Ｔ１」と「Ｔ３」が「折ブレード３６」の平面部において、「折軸の径方向における同位置」に記載されているから、「第１突出量と後方突出量は、それぞれ第１押圧面と後方押圧面における折軸の径方向における同位置である突出量である」ことが記載されているといえる。
　以上より、訂正事項２に係る訂正は、本件特許明細書等に記載した事項の範囲内においてしたものである。
（カ）訂正事項３
　請求項９において、請求項８の「前記第１前方押圧部は、外側に突出する円弧形状をなすことを特徴とする請求項１から７のいずれか一つに記載のウェブ折り畳み装置。」の発明特定事項を引用しないものとした結果、新たな事項が追加されるものではないから、当該訂正は、本件特許明細書等に記載した事項の範囲内においてしたものである。
（キ）訂正事項４
　段落【００７７】には、「なお、一対の折込ローラ３９ａ，３９ｂは、軸方向における一端部と他端部がカラー形状となっている。即ち、一対の
折込ローラ３９ａ，３９ｂは、軸方向における一端部と他端部に対して底付の円筒形状をなすカラー７６ａ，７６ｂ，７７ａ，７７ｂ
設けられている。
カラー７６ａに第３切欠部７１が形成されている。
　以上より、訂正事項４に係る訂正は、本件特許明細書等に記載した事項の範囲内においてしたものである。
　よって、本件訂正は、本件特許明細書等に記載した事項の範囲内においてしたものである。
（３）一群の請求項
　請求項〔１ないし１２〕は一群の請求項であり、また、請求項１３と一群の請求項となる関係を有する請求項はないから、本件訂正は、一群の請求項ごとに請求がされている。
（４）特許請求の範囲の拡張・変更の存否
　本件訂正は、構成要件の削除、請求項の追加、実施例の追加ではなく、発明のカテゴリーや対象や目的を変更するものではないから、実質上特許請求の範囲を拡張し、又は変更するものであるとはいえない。
３　訂正の適否についてのまとめ
　以上のとおりであるから、本件訂正は、特許法第１２０条の５第２項第１号及び同項第３号に掲げる事項を目的とするものであり、同条第４項、及び同条第９項において準用する同法第１２６条第４項ないし第６項の規定に適合するので、訂正後の請求項〔１ないし１２〕、１３について訂正を認める。
第３　特許異議の申立てについて
１　本件発明
　本件訂正請求により訂正された訂正請求項１ないし１３、及び請求項１４に係る発明（以下、請求項１ないし１４に係る発明をそれぞれ「本件発明１ないし１４」という。）は、その特許請求の範囲に記載された次の事項により特定されるとおりのものである。
「【請求項１】
　縦折りすることで移送方向における一側部が袋状をなして他側部がペラ状をなすウェブ
を保持して回転可能な折胴と、
　前記折胴に協働して前記ウェブを所定の長さに裁断する鋸胴と、
　折軸により前記折胴と反対方向に回転可能となるように前記折胴の外周部に設けられて前記折胴の外周面から突出することで前記鋸胴により裁断された前記ウェブを前記折胴の周面から引き剥がす折ブレードと、
　前記折ブレードにより前記折胴の周面から引き剥がされた前記ウェブを挟持して折帖を形成する一対の折込ローラと、
　前記折ブレードにおける前記ウェブの一側部側で且つ前記折ブレードの回転方向の前方側の平面部から突出するように第１突出量が設定されて前記折胴の周面から引き剥がされた前記ウェブの袋状の前記一側部を前記折込ローラ側に押圧する第１前方押圧部と、
　前記折ブレードにおける前記第１前方押圧部以外の位置で且つ前記折ブレードの回転方向の前方側の平面部から突出するように前記第１突出量より小さい第２突出量が設定されて前記折胴の周面から引き剥がされた前記ウェブを前記折込ローラ側に押圧する第２前方押圧部と、
　を備え、
　前記第１前方押圧部と前記第２前方押圧部は、前記ウェブを前記折込ローラ側に押圧する第１押圧面と第２押圧面が対応して形成され、前記第１突出量と前記第２突出量は、それぞれ前記第１押圧面と第２押圧面における前記折軸の径方向における同位置での突出量である、
　ことを特徴とするウェブ折り畳み装置。
　　【請求項２】
　前記第１前方押圧部における前記折ブレードの先端側への突出量が、前記第２前方押圧部における前記折ブレードの先端側への突出量より大きく設定されることを特徴とする請求項１に記載のウェブ折り畳み装置。
　　【請求項３】
　前記折ブレードは、回転方向の後方側に前記折胴の周面から引き剥がされた前記ウェブを前記折込ローラ側に押圧する後方押圧部が設けられ、前記第１前方押圧部における前記折ブレードの平面部からの前記第１突出量が、前記後方押圧部における前記折ブレードの平面部からの後方突出量より大きく設定され、
　前記後方押圧部は、前記ウェブを前記折込ローラ側に押圧する後方押圧面が形成され、前記第１突出量と前記後方突出量は、それぞれ前記第１押圧面と前記後方押圧面における前記折軸の径方向における同位置である突出量であることを特徴とする請求項１または２に記載のウェブ折り畳み装置。
　　【請求項４】
　前記折込ローラは、外周面に前記折ブレードの前記第１前方押圧部に対向して第３切欠部が設けられることを特徴とする請求項１から３のいずれか一つに記載のウェブ折り畳み装置。
　　【請求項５】
　前記第１前方押圧部は、回転軌跡の一部が前記第３切欠部内に位置することを特徴とする請求項４に記載のウェブ折り畳み装置。
　　【請求項６】
　前記折ブレードは、前記折胴の軸心方向に沿う取付部と、該取付部の先端部に前記折胴の軸心方向に沿って所定間隔で設けられる複数の本体部とからなる櫛刃形状をなし、前記第１前方押圧部及び前記第２前方押圧部の幅が、前記本体部の幅より小さく設定されることを特徴とする請求項１から５のいずれか一つに記載のウェブ折り畳み装置。
　　【請求項７】
　前記第１前方押圧部は、前記折ブレードにおける前記ウェブの一側部側の端面に一致して設けられることを特徴とする請求項１から６のいずれか一つに記載のウェブ折り畳み装置。
　　【請求項８】
　前記第１前方押圧部は、外側に突出する円弧形状をなすことを特徴とする請求項１から７のいずれか一つに記載のウェブ折り畳み装置。
　　【請求項９】
　前記第１前方押圧部は、前記折ブレードの取付部側が外側に突出する円弧形状をなし、
先端部側が内側に凹む円弧形状をなすことを特徴とする請求項１から７のいずれか一つに記載のウェブ折り畳み装置。
　　【請求項１０】
　前記折込ローラは、軸方向の端部が底付の円筒形状をなすカラーを有し、前記カラーの外周部に第３切欠部が設けられることを特徴とする請求項４に記載のウェブ折り畳み装置。
　　【請求項１１】
　前記一対の折込ローラにおける軸方向の一端部側の外周面に第１切欠部が設けられ、他端部側の外周面に第２切欠部が設けられ、前記第１切欠部及び第２切欠部は、第１湾曲部及び第２湾曲部を有することを特徴とする請求項１から１０のいずれか一つに記載のウェブ折り畳み装置。
　　【請求項１２】
　前記第１前方押圧部は、前記折ブレードに対して着脱自在に設けられることを特徴とする請求項１から１１のいずれか一つに記載のウェブ折り畳み装置。
　　【請求項１３】
　巻取紙からウェブを供給する複数の給紙ユニットを有する給紙装置と、
　前記各給紙ユニットから供給された前記ウェブにそれぞれ印刷を行う複数の印刷ユニットを有する印刷装置と、
　印刷済の複数の前記ウェブを重ねてから縦折りすることで移送方向における一側部が袋状をなして他側部がペラ状をなす前記ウェブを保持して回転可能な折胴と、
　前記折胴に協働して前記ウェブを所定の長さに裁断する鋸胴と、
　折軸により前記折胴と反対方向に回転可能となるように前記折胴の外周部に設けられて前記折胴の外周面から突出することで前記鋸胴により裁断された前記ウェブを前記折胴の周面から引き剥がす折ブレードと、
　前記折ブレードにより前記折胴の周面から引き剥がされた前記ウェブを挟持して折帖を形成する一対の折込ローラと、
　前記折ブレードにおける前記ウェブの一側部側で且つ前記折ブレードの回転方向の前方側の平面部から突出するように第１突出量が設定されて前記折胴の周面から引き剥がされた前記ウェブの袋状の前記一側部を前記折込ローラ側に押圧する第１前方押圧部と、
　前記折ブレードにおける前記第１前方押圧部以外の位置で且つ前記折ブレードの回転方向の前方側の平面部から突出するように前記第１突出量より小さい第２突出量が設定されて前記折胴の周面から引き剥がされた前記ウェブを前記折込ローラ側に押圧する第２前方押圧部と、
　を備え、
　前記第１前方押圧部と前記第２前方押圧部は、前記ウェブを前記折込ローラ側に押圧する第１押圧面と第２押圧面が対応して形成され、前記第１突出量と前記第２突出量は、それぞれ前記第１押圧面と第２押圧面における前記折軸の径方向における同位置での突出量である、
　ことを特徴とする印刷機。
　　【請求項１４】
　印刷済のウェブを縦折りすることで移送方向における一側部が袋状をなして他側部がペラ状をなす第１縦折り状ウェブを形成する工程と、
　印刷済のウェブを縦折りすることで移送方向における一側部が袋状をなして他側部がペラ状をなす第２縦折り状ウェブを形成する工程と、
　回転可能な折胴の周面に前記第１縦折り状ウェブと前記第２縦折り状ウェブを重ねて縦折り状ウェブ束を形成する工程と、
　前記縦折り状ウェブ束を所定の長さに裁断して縦折り状シート束を形成する工程と、
　折ブレードが前記折胴の外周面から突出することで前記縦折り状シート束を前記折胴の周面から引き剥がす工程と、
　前記折ブレードが前記縦折り状シート束を前記折胴の周面から引き剥がすときに前記折ブレードの回転方向の前方側の平面部から突出する前方押圧部が前記ペラ状の他端部より前記袋状の一側部をより折込ローラ側に押圧する工程と、
　前記折ブレードにより前記折胴の周面から引き剥がされた前記縦折り状シート束を一対の前記折込ローラにより挟持して横折りすることで折帖を形成する工程と、
　を有することを特徴とする折帖の製作方法。」
２　取消理由の概要
　訂正前の請求項１ないし１３に係る特許に対して、平成２８年５月２５日付けで特許権者に通知した取消理由の要旨は、次のとおりである。
（取消理由の要旨）
　請求項１ないし１３に係る特許は、明細書、特許請求の範囲及び図面の記載が下記の点で不備のため、特許法第３６条第６項第１号及び第６項第２号に規定する要件を満たしていない。
（１）特許法第３６条第６項第１号について
ア　請求項１及び１３の「ウェブの一側部側」、「ウェブの他側部側」との記載の意味が不明確であるため、「第１前方押圧部」及び「第２前方押圧部」の位置が特定できないから、請求項１及び１３は、発明の詳細な説明に記載されている課題を解決できない構成を含むものである。
イ　請求項１及び１３において「第１前方押圧部」、「第２前方押圧部」が設けられる位置及び範囲が不明確であるため、発明の詳細な説明に記載されている「ウェブの袋状部位に対応する位置に第１前方押圧部が設けられ、それ以外の部分に第２前方押圧部が設けられている」という構成以外の、発明の詳細な説明に記載されていない構成を含むものである。
（２）特許法第３６条第６項第２号について
ア　請求項１及び１３の「ウェブの一側部側」、「ウェブの他側部側」との記載の意味が不明確であるため、「第１前方押圧部」、「第２前方押圧部」が設けられる位置及び範囲が特定できない。
イ　請求項１及び１３の「第１突出量」及び「第２突出量」について、突出量を計測する部位を明確に特定していないため、「第１前方押圧部」及び「第２前方押圧部」のどの部分の突出量を意味するのか不明である。
ウ　請求項３の「突出量」の記載についても、請求項１及び１３の「第１突出量」及び「第２突出量」の記載と同様に、「第１前方押圧部」及び「後方押圧部」のどの部分の突出量を意味するのか不明である。
エ　請求項８を引用する請求項９について、請求項８の記載により特定される「第１前方押圧部」の形状と、請求項９の記載により特定される「第１前方押圧部」の形状が異なっているため、請求項９において特定される「第１前方押圧部」の形状が不明確である。
オ　請求項１０の「前記第３切欠部は、前記折込ローラにおける軸方向の端部に底付の円筒形状をなすカラーが装着されて構成されること」という記載の意味を明確に理解できない。
３　取消理由についての判断
ア　上記２（１）ア、イ及び上記２（２）アについて
　訂正請求項１及び１３において、「第１前方押圧部」が「ブレード」における「ウェブの袋状の一側部」に対応する位置にあり、「第２前方押圧部」が「ブレードにおける第２前方押圧部以外の位置」にあることが特定されたため、「第１前方押圧部」及び「第２前方押圧部」の設けられる位置及び範囲が明確になり、また、発明の詳細な説明に記載されているものとなった。したがって、上記２（１）ア、イ及び上記２（２）アについて、取消理由は解消した。
イ　上記２（２）イについて
  訂正請求項１及び１３において、「第１突出量と第２突出量」は、「それぞれ第１押圧面と第２押圧面における折軸の径方向における同位置での突出量である」ことが特定されたため、突出量を計測する位置が「それぞれ第１押圧面と第２押圧面における折軸の径方向における同位置」であることが明確となった。したがって、上記２（２）イについて、取消理由は解消した。
ウ　上記２（２）ウについて
　訂正請求項３において、「第１前方押圧部における前記折ブレードの平面部からの突出量」が「第１突出量」であることが特定された。また、「後方押圧部は、前記ウェブを前記折込ローラ側に押圧する後方押圧面が形成され、前記第１突出量と前記後方突出量は、それぞれ前記第１押圧面と前記後方押圧面における前記折軸の径方向における同位置である突出量であること」が特定されたため、突出量を計測する位置が「それぞれ第１押圧面と前記後方押圧面における前記折軸の径方向における同位置」であることが明確となった。したがって、上記２（２）ウについて、取消理由は解消した。
エ　上記２（２）エについて
　訂正請求項９は請求項８を引用しないため、上記２（２）エは解消した。
オ　上記２（２）オについて
　訂正請求項１０において、「折込ローラ」が「軸方向の端部が底付の円筒形状をなすカラーを有し、前記カラーの外周部に第３切欠部が設けられる」ものであることが明確となったため、上記２（２）オは解消した。
　したがって、アないしオより、平成２８年５月２５日付けで特許権者に通知した取消理由により、請求項１ないし１３に係る特許を取り消すことはできない。
４　取消理由通知において採用しなかった特許異議申立理由について
　特許異議申立人笹倉康助は、訂正前の請求項１ないし１４に係る発明について、以下の刊行物に記載された発明に基づいて、当業者が容易に発明をすることができたものであるから、訂正前の請求項１ないし１４に係る特許は、特許法第２９条第２項の規定に違反してされたことを主張する。
（刊行物）
　甲第１号証：実開平２−７９３６４号公報
　甲第２号証：特開２００８−７４５８４号公報
　甲第３号証：特許第４１７４５２１号公報
　甲第４号証：特開２０１０−１８９１４３号公報
　甲第５号証：特開２００８−１９０９０号公報
　甲第６号証：特許第４９４３６２０号公報
　甲第７号証：実公昭３９−３２６２９号公報
　甲第８号証：特開２００４−７５２３１号公報
　しかしながら、甲第１号証ないし甲第８号証のいずれにも、本件発明１ないし１３が備える
　「前記折ブレードにおける前記ウェブの一側部側で且つ前記折ブレードの回転方向の前方側の平面部から突出するように第１突出量が設定されて前記折胴の周面から引き剥がされた前記ウェブの袋状の前記一側部を前記折込ローラ側に押圧する第１前方押圧部と、
　前記折ブレードにおける前記第１前方押圧部以外の位置で且つ前記折ブレードの回転方向の前方側の平面部から突出するように前記第１突出量より小さい第２突出量が設定されて前記折胴の周面から引き剥がされた前記ウェブを前記折込ローラ側に押圧する第２前方押圧部と、
　を備え、
　前記第１前方押圧部と前記第２前方押圧部は、前記ウェブを前記折込ローラ側に押圧する第１押圧面と第２押圧面が対応して形成され、前記第１突出量と前記第２突出量は、それぞれ前記第１押圧面と第２押圧面における前記折軸の径方向における同位置での突出量である」
の発明特定事項は、開示されていない。
　また、甲第１号証ないし甲第８号証のいずれにも、本件発明１４が備える
　「前記折ブレードが前記縦折り状シート束を前記折胴の周面から引き剥がすときに前記折ブレードの回転方向の前方側の平面部から突出する前方押圧部が前記ペラ状の他端部より前記袋状の一側部をより折込ローラ側に押圧する工程」
の発明特定事項は、開示されていない。
　そして、上記の本件発明１ないし１３が備える発明特定事項、本件発明１４が備える発明特定事項について、甲第１号証ないし甲第８号証に記載の発明に基づいて、当業者が適宜行うことができる設計的事項であるとする根拠もない。
　さらに、上記の本件発明１ないし１３が備える発明特定事項、又は上記の本件発明１４が備える発明特定事項により、本件発明１ないし１４は、「ウェブの袋側におけるしわの発生を適正に防止することができる。」（発明の詳細な説明の段落【００１３】等）という格別の効果を奏するものである。
　したがって、本件発明１ないし１４は、甲第１号証ないし甲第８号証に記載の発明に基づいて、当業者が容易に発明をすることができたとはいえない。
　よって、特許異議申立人の主張は理由がない。
第４　むすび
　以上のとおりであるから、取消理由通知書に記載した取消理由、及び特許異議申立書に記載した特許異議申立理由によっては、本件請求項１ないし１４に係る特許を取り消すことはできない。
　また、他に本件請求項１ないし１４に係る特許を取り消すべき理由を発見しない。
　よって、結論のとおり決定する。
【異議決定日】
平成２８年１２月１２日（２０１６．１２．１２）
【訂正の要旨】
審決（決定）の【理由】欄参照。
（５７）【特許請求の範囲】
　【請求項１】
　縦折りすることで移送方向における一側部が袋状をなして他側部がペラ状をなすウェブを保持して回転可能な折胴と、
　前記折胴に協働して前記ウェブを所定の長さに裁断する鋸胴と、
　
折軸により
　前記折ブレードにより前記折胴の周面から引き剥がされた前記ウェブを挟持して折帖を形成する一対の折込ローラと、
　前記折ブレードにおける前記ウェブの一側部側で且つ前記折ブレードの回転方向の前方側の平面部から突出するように第１突出量が設定されて前記折胴の周面から引き剥がされた前記ウェブ
の袋状の前記一側部
　前記折ブレードにおける
前記第１前方押圧部以外の位置で
　を備え
、
　前記第１前方押圧部と前記第２前方押圧部は、前記ウェブを前記折込ローラ側に押圧する第１押圧面と第２押圧面が対応して形成され、前記第１突出量と前記第２突出量は、それぞれ前記第１押圧面と前記第２押圧面における前記折軸の径方向における同位置での突出量である、
　ことを特徴とするウェブ折り畳み装置。
　【請求項２】
　前記第１前方押圧部における前記折ブレードの先端側への突出量が、前記第２前方押圧部における前記折ブレードの先端側への突出量より大きく設定されることを特徴とする請求項１に記載のウェブ折り畳み装置。
　【請求項３】
　前記折ブレードは、回転方向の後方側に前記折胴の周面から引き剥がされた前記ウェブを前記折込ローラ側に押圧する後方押圧部が設けられ、前記第１前方押圧部における前記折ブレードの平面部からの
前記第１突出量
後方突出量
　前記後方押圧部は、前記ウェブを前記折込ローラ側に押圧する後方押圧面が形成され、前記第１突出量と前記後方突出量は、それぞれ前記第１押圧面と前記後方押圧面における前記折軸の径方向における同位置での突出量である
　【請求項４】
　前記折込ローラは、外周面に前記折ブレードの前記１前方押圧部に対向して第３切欠部が設けられることを特徴とする請求項１から３のいずれ一つに記載のウェブ折り畳み装置。
　【請求項５】
　前記第１前方押圧部は、回転軌跡の一部が前記第３切欠部内に位置することを特徴とする請求項４に記載のウェブ折り畳み装置。
　【請求項６】
　前記折ブレードは、前記折胴の軸心方向に沿う取付部と、該取付部の先端部に前記折胴の軸心方向に沿って所定間隔で設けられる複数の本体部とからなる櫛刃形状をなし、前記前方押圧部の幅が、前記本体部の幅より小さく設定されることを特徴とする請求項１から５のいずれか一つに記載のウェブ折り畳み装置。
　【請求項７】
　前記第１前方押圧部は、前記折ブレードにおける前記ウェブの一側部側の端面に一致して設けられることを特徴とする請求項１から６のいずれか一つに記載のウェブ折り畳み装置。
　【請求項８】
　前記第１前方押圧部は、外側に突出する円弧形状をなすことを特徴とする請求項１から７のいずれか一つに記載のウェブ折り畳み装置。
　【請求項９】
　前記第１前方押圧部は、前記折ブレードの取付部側が外側に突出する円弧形状をなし、先端部側が内側に凹む円弧形状をなすことを特徴とする
請求項１から７のいずれか一つ
　【請求項１０】
　
前記折込ローラは、
端部が
カラーを有し、前記カラーの外周部に第３切欠部が設けられる
　【請求項１１】
　前記一対の折込ローラにおける軸方向の一端部側の外周面に第１切欠部が設けられ、他端部側の外周面に第２切欠部が設けられ、前記第１切欠部及び第２切欠部は、第１湾曲部及び第２湾曲部を有することを特徴とする請求項１から１０のいずれか一つに記載のウェブ折り畳み装置。
　【請求項１２】
　前記第１前方押圧部は、前記折ブレードに対して着脱自在に設けられることを特徴とする請求項１から１１のいずれか一つに記載のウェブ折り畳み装置。
　【請求項１３】
　巻取紙からウェブを供給する複数の給紙ユニットを有する給紙装置と、
　前記各給紙ユニットから供給された前記ウェブにそれぞれ印刷を行う複数の印刷ユニットを有する印刷装置と、
　印刷済の複数の前記ウェブを重ねてから縦折りすることで移送方向における一側部が袋状をなして他側部がペラ状をなす前記ウェブを保持して回転可能な折胴と、
　前記折胴に協働して前記ウェブを所定の長さに裁断する鋸胴と、
　
折軸により
　前記折ブレードにより前記折胴の周面から引き剥がされた前記ウェブを挟持して横折りすることで折帖を形成する一対の折込ローラと、
　前記折ブレードにおける前記ウェブの一側部側で且つ前記折ブレードの回転方向の前方側の平面部から突出するように第１突出量が設定されて前記折胴の周面から引き剥がされた前記ウェブ
の袋状の前記一側部
　前記折ブレードにおける
前記第１前方押圧部以外の位置で
　を備え
、
　前記第１前方押圧部と前記第２前方押圧部は、前記ウェブを前記折込ローラ側に押圧する第１押圧面と第２押圧面が対応して形成され、前記第１突出量と前記第２突出量は、それぞれ前記第１押圧面と前記第２押圧面における前記折軸の径方向における同位置での突出量である、
　ことを特徴とする印刷機。
　【請求項１４】
　印刷済のウェブを縦折りすることで移送方向における一側部が袋状をなして他側部がペラ状をなす第１縦折り状ウェブを形成する工程と、
　印刷済のウェブを縦折りすることで移送方向における一側部が袋状をなして他側部がペラ状をなす第２縦折り状ウェブを形成する工程と、
　回転可能な折胴の周面に前記第１縦折り状ウェブと前記第２縦折り状ウェブを重ねて縦折り状ウェブ束を形成する工程と、
　前記縦折り状ウェブ束を所定の長さに裁断して縦折り状シート束を形成する工程と、
　折ブレードが前記折胴の外周面から突出することで前記縦折り状シート束を前記折胴の周面から引き剥がす工程と、
　前記折ブレードが前記縦折り状シート束を前記折胴の周面から引き剥がすときに前方押圧部が前記ペラ状の他端部より前記袋状の一側部をより前記折込ローラ側に押圧する工程と、
　前記折ブレードにより前記折胴の周面から引き剥がされた前記縦折り状シート束を一対の折込ローラにより挟持して横折りすることで折帖を形成する工程と、
　を有することを特徴とする折帖の製作方法。